(57)【要約】【課題】オイラー要素モデルの要素数の増加を抑えながら車両旋回時のタイヤ性能を解析する。【解決手段】タイヤモデル５０及び路面モデル５２を作成する。路面を覆う物体５６を内部に配した解析モデルとしてタイヤモデル５０と重なる部分に要素が細分化された領域５８を持つオイラー要素モデル５４を作成する。タイヤモデル５０を路面モデル５２上で転動させ、かつ転動するタイヤモデル５０の移動に応じてオイラー要素モデル５４を路面モデル５２上で移動させて動的解析を行う。該動的解析において、タイヤモデル５０とオイラー要素モデル５４の双方の向きＤ１，Ｄ２を車両進行方向Ｔに対してスリップ角θに相当する角度傾斜した方向にして、タイヤモデル５０とオイラー要素モデル５４を車両進行方向Ｔに移動させる。【選択図】図５
2020192893.tif 000002
【特許請求の範囲】
【請求項１】
物体で覆われた路面を走行するタイヤの挙動を再現するタイヤのシミュレーション方法であって、
数値解析が可能な有限個の要素でモデル化したタイヤモデルを設定するステップと、
路面を再現した路面モデルを設定するステップと、
前記路面を覆う物体を内部に配した解析モデルとして、前記タイヤモデルと重なる部分に要素が細分化された領域を持つオイラー要素モデルを設定するステップと、
前記タイヤモデルを前記路面モデル上で転動させ、かつ転動する前記タイヤモデルの移動に応じて前記オイラー要素モデルを前記路面モデル上で移動させて動的解析を行うステップと、を含み、
前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う、
ことを特徴とするタイヤのシミュレーション方法。
【請求項２】
前記タイヤモデルと前記オイラー要素モデルの双方の向きを前記路面モデルに定義された全体座標系の向きと一致させたまま、前記全体座標系の向きに対してスリップ角に相当する角度傾斜した方向を車両進行方向にして前記タイヤモデルと前記オイラー要素モデルを当該車両進行方向に移動させて前記動的解析を行う、請求項１に記載のタイヤのシミュレーション方法。
【請求項３】
前記タイヤモデルと前記オイラー要素モデルの双方の向きを前記路面モデルに定義された全体座標系の向きに対してスリップ角に相当する角度傾斜させて配置し、前記全体座標系の向きを車両進行方向にして前記タイヤモデルと前記オイラー要素モデルを当該車両進行方向に移動させて前記動的解析を行う、請求項１に記載のタイヤのシミュレーション方法。
【請求項４】
前記路面を覆う前記物体が水、雪または泥である、請求項１〜３のいずれか１項に記載のタイヤのシミュレーション方法。
【請求項５】
物体で覆われた路面を走行するタイヤの挙動を再現するタイヤのシミュレーション装置であって、
数値解析が可能な有限個の要素でモデル化したタイヤモデルを設定するタイヤモデル設定部と、
路面を再現した路面モデルを設定する路面モデル設定部と、
前記路面を覆う物体を内部に配した解析モデルとして、前記タイヤモデルと重なる部分に要素が細分化された領域を持つオイラー要素モデルを設定するオイラー要素モデル設定部と、
前記タイヤモデルを前記路面モデル上で転動させ、かつ転動する前記タイヤモデルの移動に応じて前記オイラー要素モデルを前記路面モデル上で移動させて動的解析を行う動的解析部と、を有し、
前記動的解析部は、前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う、
ことを特徴とするタイヤのシミュレーション装置。
【請求項６】
物体で覆われた路面を走行するタイヤの挙動を再現するためのプログラムであって、
コンピュータに、
数値解析が可能な有限個の要素でモデル化したタイヤモデルを設定するタイヤモデル設定機能と、
路面を再現した路面モデルを設定する路面モデル設定機能と、
前記路面を覆う物体を内部に配した解析モデルとして、前記タイヤモデルと重なる部分に要素が細分化された領域を持つオイラー要素モデルを設定するオイラー要素モデル設定機能と、
前記タイヤモデルを前記路面モデル上で転動させ、かつ転動する前記タイヤモデルの移動に応じて前記オイラー要素モデルを前記路面モデル上で移動させて動的解析を行う動的解析機能であって、前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う動的解析機能と、
を実現させるためのタイヤシミュレーションプログラム。
【発明の詳細な説明】
【技術分野】
【０００１】
本発明は、水や雪、泥などの物体で覆われた路面を走行するタイヤの挙動を再現するタイヤのシミュレーション方法、その装置及びプログラムに関するものである。
【背景技術】
【０００２】
水膜で覆われたウェット路面での空気入りタイヤの性能を予測するために、コンピュータを用いた数値解析法によるシミュレーション解析が行われている。ウェット路面上でのタイヤ性能としては、例えばハイドロプレーニング性能がある。ハイドロプレーニング性能とは、水の溜まった路面上をタイヤが走行するときに、タイヤと路面の間に水が入り込み、タイヤのグリップ力が低下し、最終的にタイヤが水膜上を滑るようになって制御が利かなくなるハイドロプレーニング現象に関する性能である。
【０００３】
このようなタイヤ性能を予測する際に、車両直進時だけでなく、車両旋回時におけるタイヤ性能を予測することが求められる場合がある。そのため、特許文献１では、タイヤの向きを考慮して排水性等のタイヤ性能を予測する方法として、タイヤにスリップ角を付与して動的解析を行うことが提案されている。しかしながら、流体モデルとしてのオイラー要素モデルをタイヤモデルとともに移動させることについても、また流体モデルにスリップ角を考慮した条件を付与することについても、特許文献１には記載されていない。
【０００４】
一方、特許文献２には、タイヤモデルを路面モデル上で転動させるとともに、流体モデルとしてのオイラー要素モデルをタイヤモデルの移動に応じて移動させて、動的解析を行うことが提案されている。しかしながら、特許文献２には車両旋回時のタイヤ性能を予測することについては記載されていない。
【先行技術文献】
【特許文献】
【０００５】
【特許文献１】特開２００７−２１０４７５号公報
【特許文献２】特開２０１４−２７１３７３号公報
【発明の概要】
【発明が解決しようとする課題】
【０００６】
タイヤモデルとともにオイラー要素モデルを路面モデル上で移動させて動的解析を行う方法において、車両旋回時のタイヤ性能を予測するためにタイヤモデルにスリップ角を付与すると、オイラー要素モデルの要素数が増加し、計算コストが悪化してしまう。これは次の理由による。オイラー要素モデルはタイヤモデルと重なる領域が重要であるため、当該領域で要素を細分化したものが用いられている。ここにおいて、タイヤモデルにスリップ角を付与して、タイヤモデルの向きをオイラー要素モデルの向きに対して傾斜して配置すると、オイラー要素モデルにおいてタイヤモデルとの重なり領域の全体をカバーするために要素を細分化すべき領域が広くなる。そのため、オイラー要素モデルの要素数が増加し、計算コストが悪化する。
【０００７】
本発明の実施形態は、オイラー要素モデルの要素数の増加を抑えながら車両旋回時のタイヤ性能を解析することができる、タイヤのシミュレーション方法、その装置及びプログラムを提供することを目的とする。
【課題を解決するための手段】
【０００８】
本発明に係る第１の態様は、物体で覆われた路面を走行するタイヤの挙動を再現するタイヤのシミュレーション方法であって、；  数値解析が可能な有限個の要素でモデル化したタイヤモデルを設定するステップと、；  路面を再現した路面モデルを設定するステップと、；  前記路面を覆う物体を内部に配した解析モデルとして、前記タイヤモデルと重なる部分に要素が細分化された領域を持つオイラー要素モデルを設定するステップと、；  前記タイヤモデルを前記路面モデル上で転動させ、かつ転動する前記タイヤモデルの移動に応じて前記オイラー要素モデルを前記路面モデル上で移動させて動的解析を行うステップと、を含み、；  前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う、ことを特徴とするタイヤのシミュレーション方法である。
【０００９】
本発明に係る第２の態様は、物体で覆われた路面を走行するタイヤの挙動を再現するタイヤのシミュレーション装置であって、；  数値解析が可能な有限個の要素でモデル化したタイヤモデルを設定するタイヤモデル設定部と、；  路面を再現した路面モデルを設定する路面モデル設定部と、；  前記路面を覆う物体を内部に配した解析モデルとして、前記タイヤモデルと重なる部分に要素が細分化された領域を持つオイラー要素モデルを設定するオイラー要素モデル設定部と、；  前記タイヤモデルを前記路面モデル上で転動させ、かつ転動する前記タイヤモデルの移動に応じて前記オイラー要素モデルを前記路面モデル上で移動させて動的解析を行う動的解析部と、を有し、；  前記動的解析部は、前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う、ことを特徴とするタイヤのシミュレーション装置である。
【００１０】
本発明に係る第３の態様は、物体で覆われた路面を走行するタイヤの挙動を再現するためのプログラムであって、コンピュータに、；  数値解析が可能な有限個の要素でモデル化したタイヤモデルを設定するタイヤモデル設定機能と、；  路面を再現した路面モデルを設定する路面モデル設定機能と、；  前記路面を覆う物体を内部に配した解析モデルとして、前記タイヤモデルと重なる部分に要素が細分化された領域を持つオイラー要素モデルを設定するオイラー要素モデル設定機能と、；  前記タイヤモデルを前記路面モデル上で転動させ、かつ転動する前記タイヤモデルの移動に応じて前記オイラー要素モデルを前記路面モデル上で移動させて動的解析を行う動的解析機能であって、前記タイヤモデルと前記オイラー要素モデルの双方の向きを車両進行方向に対してスリップ角に相当する角度傾斜した方向にして、前記タイヤモデルと前記オイラー要素モデルを前記車両進行方向に移動させて前記動的解析を行う動的解析機能と、；  を実現させるためのタイヤシミュレーションプログラムである。
【発明の効果】
【００１１】
本発明の実施形態によれば、オイラー要素モデルの要素数の増加を抑えながら車両旋回時のタイヤ性能を解析することができる。
【図面の簡単な説明】
【００１２】
【図１】一実施形態に係るシミュレーション装置のブロック図である。
【図２】同シミュレーション装置のフローチャートである。
【図３】動的解析部のフローチャートである。
【図４】タイヤモデルとオイラー要素モデルを結合させた状態を示す斜視図である。
【図５】タイヤモデルと路面モデルとオイラー要素モデルの組み合わせ状態を示す斜視図である。
【図６】第１実施形態におけるタイヤモデルとオイラー要素モデルの路面モデル上での動きを示す平面図である（但しタイヤモデルは省略）。
【図７】第２実施形態におけるタイヤモデルとオイラー要素モデルの路面モデル上での動きを示す平面図である（但しタイヤモデルは省略）。
【図８】比較例１（車両直進時）におけるタイヤモデルとオイラー要素モデルの路面モデル上での動きを示す平面図である（但しタイヤモデルは省略）。
【図９】比較例２（車両旋回時）におけるタイヤモデルとオイラー要素モデルの路面モデル上での動きを示す平面図である（但し、タイヤモデルは省略）。
【発明を実施するための形態】
【００１３】
以下、本発明の実施形態について図面に基づいて説明する。
【００１４】
一実施形態に係るタイヤのシミュレーション装置１０は、物体で覆われた路面を走行する空気入りタイヤの挙動を再現するシミュレーション装置であって、図１に示すように、入力部１２、タイヤモデル設定部１４、路面モデル設定部１６、オイラー要素モデル設定部１８、静的解析部２０、動的解析部２２、評価値取得部２４、タイヤ性能予測部２６、及び出力部２８を有する。
【００１５】
このシミュレーション装置１０は、例えば、マウスとキーボードを有する汎用のコンピュータを基本ハードウェアとして用いることでも実現することが可能である。すなわち、入力部１２、タイヤモデル設定部１４、路面モデル設定部１６、オイラー要素モデル設定部１８、静的解析部２０、動的解析部２２、評価値取得部２４、タイヤ性能予測部２６、及び出力部２８は、上記のコンピュータに搭載されたプロセッサにプログラムを実行させることにより実現することができる。このとき、シミュレーション装置１０は、上記のプログラムをコンピュータに予めインストールすることで実現してもよいし、ＣＤ−ＲＯＭ等の記憶媒体に記憶して、又はネットワークを介して上記のプログラムを配布して、このプログラムをコンピュータに適宜インストールすることで実現してもよい。
【００１６】
［第１実施形態］
第１実施形態として、水膜で覆われた路面を走行するタイヤの挙動を再現する場合について説明する。この場合、路面を覆う物体は、流体、詳細には液体としての水である。上記各部の構成と機能について順番に説明する。
【００１７】
［１］入力部１２
入力部１２は、解析対象となる空気入りタイヤ、路面、及び流体である水膜をそれぞれモデル化するために必要なモデル作成条件と、これらのモデルを用いて解析を行うための解析条件を取得する。
【００１８】
モデル作成条件としては、モデルの形状、メッシュ分割数等が挙げられ、例えば、タイヤモデルの作成条件としては、タイヤ断面形状を含めたタイヤについての種々のデータ（タイヤ設計情報）が挙げられ、具体的には、タイヤの外形形状や内部構造等の各寸法諸元、タイヤを構成するトレッド、ベルト、カーカスなどの各部材についてヤング率、ポアソン比や比重などの材料特性などが入力される。
【００１９】
解析条件としては、リムモデルに装着されたタイヤモデルに対する内圧や荷重、タイヤモデルの動的状態を定める、並進速度（即ち、走行速度、特には、タイヤモデルの最終速度）、スリップ角、タイヤモデルと路面モデルとの摩擦係数などのタイヤモデルの運動や接地に関する条件の他、動的解析における解析時間、路面上の水膜の厚みなどが入力される。
【００２０】
これらの情報の入力は、キーボードを用いて行われてもよく、ＣＤ−ＲＯＭ等の記録媒体やネットワーク等を通じて行われてもよい。
【００２１】
［２］タイヤモデル設定部１４
タイヤモデル設定部１４は、数値解析が可能な有限個の要素でモデル化したタイヤモデルを設定する。例えば、入力部１２で入力されたモデル作成条件に基づいて、トレッドパターンを持つタイヤについて、有限要素モデルを作成する。詳細には、自然平衡状態のタイヤ形状を基準形状とし、この基準形状をＦＥＭによりモデル化して、メッシュ分割によって多数の有限要素に分割された三次元のタイヤモデルを作成する。かかる要素としては、４面体ソリッド要素、５面体ソリッド要素、６面体ソリッド要素などが挙げられ、これらの要素は三次元座標を用いて逐一特定される。図４において符号５０としてタイヤモデルの一例を示す。
【００２２】
このようなタイヤモデルの作成方法自体は公知であり、かかる公知の方法を用いてタイヤをモデル化することができる。なお、予め作成されたタイヤモデルを入力部１２から入力してもよく、その場合、タイヤモデル設定部１４は、入力されたタイヤモデルを解析対象として設定する。
【００２３】
［３］路面モデル設定部１６
路面モデル設定部１６は、路面を再現した路面モデルを設定する。詳細には、入力部１２で入力されたモデル作成条件に基づいて、道路の表面を数値解析が可能な要素に置き換えた路面モデルを作成する。図５に一例を示すように、路面モデル５２は、外力が作用しても変形しない平坦な四角形状の剛表面要素により構成されるが、凹凸を有するものを路面モデルとして定義してもよい。一例として、路面モデルには、アスファルト路面とほぼ同様の表面摩擦係数が境界条件として定義される。
【００２４】
なお、予め作成された路面モデルを入力部１２から入力してもよく、その場合、路面モデル設定部１６は、入力された路面モデルを解析対象として設定する。また、ハードディスクなどの記憶手段に１又は複数の路面モデルを予め記憶させておき、マウスやキーボードなどを介して選択された路面モデルを、解析対象として設定してもよい。
【００２５】
［４］オイラー要素モデル設定部１８
オイラー要素モデル設定部１８は、入力部１２で入力されたモデル作成条件に基づいて、路面を覆う物体を内部に配した解析モデルとしてオイラー要素モデルを作成する。ここでは、内部に流体物質（水）を配した流体解析モデルとしてオイラー要素モデルを作成する。オイラー要素モデル５４は、その一例を図４，５に示すように、路面モデル５２上の一部の空間領域を８節点のオイラーメッシュで分割して得られた複数の直方体要素からなるものであり、全体として直方体の形状を有し、その内部に所定の高さで流体物質５６が配されている。オイラー要素モデル５４では、要素の形状は変化することなく、流体物質５６が空間内を移動する。流体物質５６は、密度、体積弾性率、粘性係数、動粘度などで特徴付けられるものであり、本実施形態では、水に相当する密度と粘性係数で特徴付けられた流体物質５６がオイラー要素モデル５４内に配される。
【００２６】
図４に示すように、オイラー要素モデル５４は、タイヤモデル５０との重なり部とその近傍周辺部を含む範囲で作成される。オイラー要素モデル５４のタイヤ前後方向及び軸方向における大きさは特に限定されない。例えば、タイヤ前後方向における大きさは、前方側の長さが後方側の長さよりも大きく形成され、その前方側の長さは、特許文献２に記載のように、路面モデル５２に対するタイヤモデル５０の接地部よりも前方側のオイラー要素モデル５４の長さＬ（図６参照）を、Ｌ＝ｋＡ／αｔに設定してもよい（ここで、ｋ＝１．０〜１．５、Ａ＝９．０×１０７〜１．０×１０８［ｍｍ２／ｓ２］。αｔ：動的解析部におけるタイヤモデルの加速度［ｍｍ／ｓ２］）。
【００２７】
図４及び図６に示すように、オイラー要素モデル５４は、タイヤ軸方向に平行な複数の垂直面と、タイヤ前後方向に平行な複数の垂直面と、高さが異なる複数の水平面とで複数の直方体要素に区画されている。該直方体要素は、路面モデル５２に接し配されるオイラー要素モデル５４の下面から高さ方向に離れるに従い、その体積が大きくなるように生成されている。
【００２８】
また、オイラー要素モデル５４は、タイヤモデル５０と重なる部分に要素が細分化された領域５８を持つ。詳細には、図６に示すように、タイヤモデル５０の接地部６０及びその近傍に相当する領域５８は、その周りの領域よりも直方体要素の体積が小さく、よって領域５８ではメッシュ分割が密に設定されている。タイヤ前後方向に平行な複数の垂直面の配設間隔が接地部６０及びその近傍においてその両側での配設間隔よりも狭く設定され、また、タイヤ軸方向に平行な複数の垂直面の配設間隔が接地部６０及びその近傍においてその両側での配設間隔よりも狭く設定されており、これら配設間隔が狭いもの同士が交わる十字状の交差部が上記領域５８として形成されている。そのため、領域５８は図６に示すように平面視矩形状の領域である。タイヤ前後方向に平行な複数の垂直面の配設間隔は領域５８の両側において領域５８から離れるほど大きくなっており、そのため、タイヤ軸方向において領域５８から離れるに従い直方体要素の体積が大きくなっている。また、タイヤ軸方向に平行な複数の垂直面の配設間隔は領域５８の両側において領域５８から離れるほど大きくなっており、そのため、タイヤ前後方向において領域５８から離れるに従い直方体要素の体積が大きくなっている。
【００２９】
オイラー要素モデル５４の内部には流体物質５６が配置される。流体物質５６は、オイラー要素モデル５４における路面モデル５２と接する下面領域全面に一様な厚さ（高さ）で配置されており、この例では、最下段から２段目の要素の位置まで流体物質５６（図４において灰色で示す。）が充填されている。流体物質５６は、水に相当する密度と粘性係数で特徴付けられており、また重力加速度が作用するように定義されている。なお、オイラー要素モデル５４における流体物質５６が充填された領域よりも上には、流体物質５６が流入し得る空間領域が確保されている。
【００３０】
オイラー要素モデル５４の境界面のうち、タイヤ前後方向における前端面５４Ａには、流体物質５６の流入だけが許容されて流体物質５６が補充されるように境界条件が付与される。また、前端面５４Ａとは反対側に位置するタイヤ前後方向における後端面５４Ｂには、流体物質５６の流出だけが許容されるように境界条件が付与される。
【００３１】
オイラー要素モデル５４の左右両側面５４Ｃ，５４Ｄについては、流体物質５６の流入及び流出を禁止する境界条件を付与してもよい。但し、本実施形態では、後述するようにオイラー要素モデル５４の向きを車両進行方向Ｔに対して傾斜した方向として移動させるので、前端面５４Ａとともに前方側に向く側面５４Ｃについては流体物質５６の流入だけが許容され、後端面５４Ｂとともに後方側に向く側面５４Ｄについては流体物質５６の排出だけが許容されるように境界条件を付与してもよい。なお、オイラー要素モデル５４の下面５４Ｅには、流体物質５６の流入及び流出を禁止する境界条件を付与してもよい。オイラー要素モデル５４の上面５４Ｆでは流体物質５６の流入及び流出は禁止されない。
【００３２】
［５］静的解析部２０
静的解析部２０は、タイヤモデル設定部１４で得られたタイヤモデル５０をリムモデル（不図示）に装着した上で、有限要素解析法による静的解析を行う。すなわち、タイヤモデル５０に所定の内圧を充填しながらタイヤモデル５０の変形計算を行う内圧充填処理と、タイヤモデル５０を回転させることなく静止した状態で、路面モデル５２に対して所定の荷重で接地させながら、タイヤモデル５０の変形計算を行う接地解析処理とを行う。
【００３３】
［６］動的解析部２２
動的解析部２２は、タイヤモデル５０を路面モデル５２上で転動させ、かつ転動するタイヤモデル５０の移動に応じてオイラー要素モデル５４を路面モデル５２上で移動させる動的状態において、タイヤモデル５０の変形計算とオイラー要素モデル５４内の流体物質の流れ計算による動的解析（詳細には、ハイドロプレーニング解析）を行う。
【００３４】
そのため、動的解析部２２は、まず、モデル結合部が、上記接地処理の施されたタイヤモデル５０に対して、オイラー要素モデル５４を所定位置に配置し結合させて、タイヤモデル５０とオイラー要素モデル５４を組み合わせる（図４及び図５参照）。その際、路面モデル５２に対するタイヤモデル５０の接地部の前縁と、オイラー要素モデル５４における接地部６０の前縁６０Ａとが一致するように、両モデル５０，５４を組み合わせる。
【００３５】
このようにして組み合わせた後、動的解析部２２は、タイヤモデル５０を所定の加速度αｔで並進するように転動（即ち、回転）させるとともに、そのタイヤモデル５０の移動に伴って同じ加速度αｔでオイラー要素モデル５４を移動させながら、上記変形計算及び流れ計算を行う動的解析を実行する。その際、タイヤモデル５０とオイラー要素モデル５４は、入力部１２で入力された解析時間にて、静止状態から最終速度（目標とする並進速度）まで、所定の加速度αｔで移動する。なお、このように所定の加速度αｔを与えて最終速度まで徐々に並進速度を増加させる代わりに、目標とする並進速度を瞬時に入力して所望の動的状態としてもよい。このように移動させながら、動的状態のタイヤモデル５０とオイラー要素モデル５４内の流体物質５６との境界条件を設定し、設定された境界条件に基づいて、上記変形計算及び流れ計算が行われる。かかる変形計算及び流れ計算自体は公知であり、例えば、上記特許文献２および特開２００４−３３８６６０号公報に記載の方法に基づき行うことができる。
【００３６】
本実施形態では、動的解析部２２は、図５及び図６に示すように、タイヤモデル５０とオイラー要素モデル５４の双方の向きを車両進行方向Ｔに対してスリップ角θに相当する角度傾斜した方向にして、タイヤモデル５０とオイラー要素モデル５４を車両進行方向Ｔに移動させて動的解析を行う。より詳細には、第１実施形態では、タイヤモデル５０とオイラー要素モデル５４の双方の向きを路面モデル５２に定義された全体座標系ＸＹの向きと一致させたまま、全体座標系ＸＹの向きに対してスリップ角θに相当する角度傾斜した方向を車両進行方向Ｔとしてタイヤモデル５０とオイラー要素モデル５４を当該車両進行方向Ｔに移動させて動的解析を行う。
【００３７】
ここで、タイヤモデル５０の向きとは、タイヤ前後方向（即ち、水平面上でタイヤ回転軸に垂直な方向）であり、図において符号Ｄ１で示す。オイラー要素モデル５４の向きとは、上記オイラーメッシュを区画するタイヤ前後方向に平行な複数の垂直面と水平面との交線に沿う方向であり、図において符号Ｄ２で示す。全体座標系ＸＹとは、車両直進状態で動的解析する場合におけるタイヤ進行方向をＸ軸とし、タイヤ幅方向をＹ軸とする水平面上の座標系であり、路面モデル５２を基準に定義される。全体座標系ＸＹの向きとは、そのＸ軸の向きである。
【００３８】
この場合、図６に示すように、タイヤモデル５０の向きＤ１とオイラー要素モデル５４の向きＤ２は、ともに全体座標系ＸＹのＸ軸の向きに一致する。車両進行方向Ｔは、Ｘ軸に対してスリップ角θに相当する角度傾斜した方向Ｘ’である。タイヤモデル５０とオイラー要素モデル５４に付与する境界条件は、車両進行速度をＶとして、以下の通りである。
・タイヤモデル及びオイラー要素モデルの並進
Ｘ軸：Ｖｃｏｓθ
Ｙ軸：Ｖｓｉｎθ
（即ち、並進速度＝Ｖｃｏｓθ＋Ｖｓｉｎθ）
・タイヤモデルの回転
回転軸：Ｙ軸
【００３９】
［７］評価値取得部２４
評価値取得部２４は、上記動的解析から、ウェット性能（詳細にはハイドロプレーニング性能）を評価するための評価値を取得する。例えば、タイヤモデル５０が路面モデル５２から受ける路面反力；  タイヤモデル５０の路面モデル５２に対する接地形状、接地面積、接地圧分布など；  オイラー要素モデル５４内の各要素に含まれる流体物質５６の体積含有率、流体物質５６の流体反力、流速、流量など；  タイヤモデル５０の軸力などを評価値として取得する。
【００４０】
［８］タイヤ性能予測部２６
タイヤ性能予測部２６は、評価値取得部２４で得られた評価値に基づいて、ウェット性能の良否を評価する。例えば、路面モデル５２に対するタイヤモデル５０の接地力に基づいてハイドロプレーニング現象の発生速度を予測することができる。
【００４１】
［９］出力部２８
出力部２８は、上記により得られたタイヤ性能の予測結果を出力する。出力は、ディスプレイによって表示したり、プリンタによって印刷したりすることにより行うことができる。
【００４２】
次に、本実施形態に係るシミュレーション方法について、図２，３のフローチャートに基づいて説明する。
【００４３】
ステップＳ１において、入力部１２から入力されたモデル作成条件に基づき、タイヤモデル設定部１４がタイヤモデル５０を作成する。予め作成されたタイヤモデル５０を入力部１２から入力し、入力されたタイヤモデルを解析対象として設定してもよい。そして、ステップＳ２に進む。
【００４４】
ステップＳ２において、入力部１２から入力されたモデル作成条件に基づき、路面モデル設定部１６が路面モデル５２を作成する。予め作成された路面モデル５２を入力部１２から入力し、入力された路面モデルを解析対象として設定してもよい。そして、ステップＳ３に進む。
【００４５】
ステップＳ３において、入力部１２から入力されたモデル作成条件に基づき、オイラー要素モデル設定部１８が、流体解析モデルであるオイラー要素モデル５４を作成する。詳細には、メッシュ生成部により、路面上の空間領域を８節点のオイラーメッシュで分割してなるオイラー要素モデル５４を作成する。その際、タイヤモデル５０と重なる領域で要素を細分化することにより、当該細分化された領域５８を持つオイラー要素モデル５４を作成する。次いで、流体物質配置部により、オイラー要素モデル５４の内部に、水に相当する密度と粘性係数で特徴付けられた流体物質５６を配置する。また、条件設定部により、流体物質５６には重力加速度が作用するように定義するとともに、オイラー要素モデル５４の各境界面に流体物質５６の流入及び流出に関する条件を設定する。そして、ステップＳ４に進む。
【００４６】
ステップＳ４において、静的解析部２０が、ステップＳ１で得られたタイヤモデル５０と、ステップＳ２で得られた路面モデル５２を用いて、有限要素解析法による静的解析を行い、タイヤモデル５０を路面モデル５２に接地させる。そして、ステップＳ５に進む。
【００４７】
ステップＳ５において、動的解析部２２が、接地状態のタイヤモデル５０とオイラー要素モデル５４を用いて、動的解析（詳細には、ハイドロプレーニング解析）を行う。詳細には、図３に示すように、まず、ステップＳ５１において、路面モデル５２に接地されたタイヤモデル５０に対して、オイラー要素モデル５４を所定位置に配置し結合させる（図４及び図５参照）。
【００４８】
次いで、ステップＳ５２〜Ｓ５９において、動的解析の計算が行われる。動的解析の計算では、流体物質５６がタイヤモデル５０に与える境界条件に基づいて、所定の時間の刻み幅で、タイヤモデル５０の変形計算が逐次行われるとともに、タイヤモデル５０がオイラー要素モデル５４内の流体物質５６に与える境界条件に基づいて、所定の時間の刻み幅で流体物質５６の流れ計算が逐次行われる。より詳細には、まず、ステップＳ５２において、タイヤモデル５０とオイラー要素モデル５４を所定の時間の刻み幅で移動させ、ステップＳ５３において、タイヤモデル５０とオイラー要素モデル５４内の流体物質５６との境界面を計算する。次いで、ステップＳ５４において、オイラー要素モデル５４内の流体物質５６からタイヤモデル５０へ作用する力が境界条件として設定され、ステップＳ５５において、これに基づいて転動するタイヤモデル５０の変形計算が行われ、タイヤモデル５０の変位や応力が算出される。一方、ステップＳ５６において、タイヤモデル５０の変形と転動に伴う速度成分が流体物質５６への境界条件として設定され、ステップＳ５７において、これに基づいて流体物質５６の流れ計算が行われ、オイラー要素モデル５４における流体物質５６の流体圧力、流速及び体積含有率等が算出される。次いで、ステップＳ５８において、オイラー要素モデル５４内の流体物質５６の物理量（流体物理量）のマッピング処理が行われる。その後、ステップＳ５９において、所定の解析時間が経過した否かを判定し、経過していなければ、ステップＳ５２に戻り、ステップＳ５２〜Ｓ５９が行われる。こうして解析時間が経過するまで、ステップＳ５２〜Ｓ５９が繰り返し行われ、ステップＳ５９で所定の解析時間が経過したと判定されれば、動的解析を終了する。
【００４９】
かかる動的解析において、本実施形態では、図５及び図６に示すように、タイヤモデル５０とオイラー要素モデル５４の双方の向きＤ１，Ｄ２を車両進行方向Ｔに対してスリップ角θに相当する角度傾斜した方向として、タイヤモデル５０とオイラー要素モデル５４を車両進行方向Ｔに移動させて動的解析を行う。詳細には、タイヤモデル５０の向きＤ１とオイラー要素モデル５４の向きＤ２を、ともに全体座標系ＸＹのＸ軸の向きに一致させたまま、Ｘ軸に対して角度θをなす方向Ｘ’を車両進行方向Ｔとして、タイヤモデル５０とオイラー要素モデル５４を当該車両進行方向Ｔに路面モデル５２上で移動させる。すなわち、車両進行速度をＶとして、タイヤモデル５０とオイラー要素モデル５４に以下の境界条件を付与して動的解析を行う。
・タイヤモデル及びオイラー要素モデルの並進
Ｘ軸：Ｖｃｏｓθ，  Ｙ軸：Ｖｓｉｎθ
・タイヤモデルの回転
回転軸：Ｙ軸
【００５０】
このようにして動的解析が終了した後、ステップＳ６において、評価値取得部２４が、動的解析の結果から、ウェット性能を評価するための評価値を取得する。そして、ステップＳ７に進む。
【００５１】
ステップＳ７において、タイヤ性能予測部２６が、ステップＳ６で得られた評価値に基づいてウェット性能の良否を予測し、出力部２８がその結果を出力する。
【００５２】
［作用・効果］
本実施形態によれば、タイヤモデル５０とオイラー要素モデル５４の双方にスリップ角を考慮した境界条件を付与して動的解析することにより、オイラー要素モデル５４の要素数の増加を抑えながら（即ち、計算コストを悪化させずに）、車両旋回時でのタイヤ性能の解析精度を維持することができる。詳細には以下の通りである。
【００５３】
図８は、比較例１に係る車両直進時の動的解析条件を示した図である。比較例１では、タイヤモデル５０とオイラー要素モデル５４については実施形態と同じものを用いており、スリップ角を考慮した境界条件を付与していない点で実施形態と異なる。この場合、タイヤモデル５０の向きとオイラー要素モデル５４の向きはともに全体座標系ＸＹのＸ軸の向きに一致しており、この状態でＸ軸を車両進行方向Ｔとしてタイヤモデル５０とオイラー要素モデル５４を路面モデル５２上で移動させる。そのため、タイヤモデル５０とオイラー要素モデル５４に付与する境界条件は以下の通りである。
・タイヤモデル及びオイラー要素モデルの並進
Ｘ軸：Ｖ
・タイヤモデルの回転
回転軸：Ｙ軸
【００５４】
図９は、比較例２に係る車両旋回時の動的解析条件を示した図である。比較例２では、車両旋回状態を再現するためにタイヤモデル５０にスリップ角θを付与しているが、オイラー要素モデル５４’にはスリップ角を考慮した境界条件を付与していない。そのため、オイラー要素モデル５４’の向きは全体座標系ＸＹのＸ軸の向きと一致しているが、タイヤモデル５０の向きはスリップ角θに相当する角度傾斜しており、この状態でＸ軸を車両進行方向Ｔとしてタイヤモデル５０とオイラー要素モデル５４’を路面モデル５２上で移動させる。タイヤモデル５０とオイラー要素モデル５４’に付与する境界条件は以下の通りである。
・タイヤモデル及びオイラー要素モデルの並進
Ｘ軸：Ｖ
・タイヤモデルの回転
回転軸：Ｙ’軸（Ｙ軸に対する傾斜角度はθ）
【００５５】
オイラー要素モデルはタイヤモデルと重なる領域が重要であり、計算精度を高めるためには当該領域において要素を細分化する必要がある。比較例２のようにタイヤモデル５０にスリップ角θを付与すると、オイラー要素モデル５４’の向きに対してタイヤモデル５０の向きが傾斜して配置される。この場合に、計算精度を維持するために、オイラー要素モデル５４’においてタイヤモデル５０との重なり領域５８’の全体を細分化すると、Ｘ軸方向およびＹ軸方向ともに細分化すべき幅が大きくなり、細分化すべき領域が広がってしまうので、オイラー要素モデル５４’の要素数が増加する。一例として、比較例２では比較例１に対してオイラー要素モデルの要素数が１．１倍になることがあり、その分、計算コストが上昇する。
【００５６】
これに対し、本実施形態によれば、タイヤモデル５０とオイラー要素モデル５４の双方についてスリップ角θを用いて並進に関する境界条件を設定することにより、タイヤモデル５０とオイラー要素モデル５４との重なり領域５８が比較例１とは変わらないので、オイラー要素モデル５４の要素数が増加せず、よって、計算コストを悪化させずに、計算精度を維持しながら、車両旋回時におけるタイヤ性能の予測を行うことができる。
【００５７】
また、第１実施形態であると、タイヤモデル５０とオイラー要素モデル５４の双方の向きを全体座標系ＸＹの向きと一致させたまま、これら両モデル５０，５４を全体座標系ＸＹに対してスリップ角θに相当する角度傾斜した方向に移動させるので、タイヤモデル５０とオイラー要素モデル５４に付与する境界条件を、上記の通り一つの座標系ＸＹで表現することができるという利点もある。
【００５８】
［第２実施形態］
第２実施形態は、全体座標系ＸＹに対するタイヤモデル５０とオイラー要素モデル５４の配置及び移動方向が第１実施形態とは異なる。すなわち、第２実施形態では、図７に示すように、動的解析部２２は、タイヤモデル５０とオイラー要素モデル５４の双方の向きＤ１，Ｄ２を路面モデル５２に定義された全体座標系ＸＹの向きに対してスリップ角θに相当する角度傾斜させて配置し、全体座標系ＸＹの向きを車両進行方向Ｔにしてタイヤモデル５０とオイラー要素モデル５４を当該車両進行方向Ｔに移動させて動的解析を行う。
【００５９】
そのため、タイヤモデル５０の向きＤ１とオイラー要素モデル５４の向きＤ２は、ともに全体座標系ＸＹのＸ軸に対して角度θをなす方向Ｘ’である。車両進行方向Ｔは、全体座標系ＸＹのＸ軸の向きに一致する。なお、方向Ｘ’をＸ’軸とする水平面上の座標系を、Ｘ’Ｙ’座標系とする。タイヤモデル５０とオイラー要素モデル５４に付与する境界条件は、車両進行速度をＶとして、以下の通りである。
・タイヤモデル及びオイラー要素モデルの並進
Ｘ軸：Ｖ
・タイヤモデルの回転
回転軸：Ｙ’軸
【００６０】
このように第２実施形態では、タイヤモデル５０とオイラー要素モデル５４を移動させる車両進行方向Ｔは、図８に示す車両直進時の動的解析及び図９に示す比較例２の動的解析と同様、全体座標系ＸＹの向きと一致するが、タイヤモデル５０だけでなくオイラー要素モデル５４についてもスリップ角θに相当する角度傾斜させて配置する。そのため、タイヤモデル５０とオイラー要素モデル５４の双方についてスリップ角θを用いた境界条件が設定されるので、第１実施形態と同様に、タイヤモデル５０とオイラー要素モデル５４との重なり領域５８が比較例１とは変わらず、オイラー要素モデル５４の要素数が増加しない。よって、計算コストを悪化させずに、計算精度を維持しながら、車両旋回時におけるタイヤ性能の予測を行うことができる。
【００６１】
なお、第２実施形態では、タイヤモデル５０及びオイラー要素モデル５４の並進についての全体座標系ＸＹと、タイヤモデル５０の回転についてのＸ’Ｙ’座標系との２つの座標系が必要である。第２実施形態について、その他の構成及び作用効果については、第１実施形態と同様であり、説明は省略する。
【００６２】
［その他の実施形態］
上記実施形態では、水膜で覆われた路面を走行するタイヤの挙動を再現する場合について説明した。すなわち、上記実施形態では、路面を覆う物体を水等の流体とし、オイラー要素モデルとして内部に流体物質を配した流体解析モデルを作成し、動的解析においてオイラー要素モデル内の流体物質の流れ計算を行うものとした。しかしながら、路面を覆う物体としては、水等の流体には限定されず、例えば、雪や泥であってもよい。
【００６３】
例えば、オイラー要素モデルとして、内部に雪を配した解析モデル（雪モデル）を作成し、雪路面を走行するタイヤの旋回時の挙動をシミュレーションするようにしてもよい。また、オイラー要素モデルとして、内部に泥を配した解析モデル（泥モデル）を作成し、泥路面を走行するタイヤの旋回時の挙動をシミュレーションするようにしてもよい。
【００６４】
雪や泥の場合も、水の場合と同様に、上記オイラー要素モデル設定部によりオイラー要素モデルを作成することができる。すなわち、オイラー要素モデルは、路面モデル上の一部の空間領域を８節点のオイラーメッシュで分割して得られた複数の直方体要素からなるものとして形成され、その内部に所定の高さで雪や泥の物体が配され、要素の形状は変化することなく、雪や泥の物体が空間内を移動する。
【００６５】
雪モデル又は泥モデルの場合、上記物体は、例えば、密度、弾性特性、塑性域を表現する降伏関数及び硬化則などで特徴付けられ、これらの特性で特徴付けられた物体がオイラー要素モデル内に配される。
【００６６】
動的解析については、動的解析部が、上記流体解析モデルに対して水と空気との界面の移動を計算により求める流れ計算を行う代わりに、雪モデル又は泥モデルに対して雪や泥などの物体と空気との界面の移動を計算により求める。但し、物体を特徴付ける上記特性が異なるだけであり、計算手法としては同じ手法を用いることができる。
【００６７】
評価値としては、雪モデルについては、評価値取得部が、例えば、タイヤモデルのオイラー要素モデルに対する接地形状、接地面積、接地圧分布など；  オイラー要素モデルの各要素に含まれる雪物質の体積含有率、反力など；  タイヤモデルの軸力などを評価値として取得する。泥モデルについては、評価値取得部が、例えば、タイヤモデルのオイラー要素モデルに対する接地形状、接地面積、接地圧分布、沈下量など；  オイラー要素モデルの各要素に含まれる泥物質の体積含有率、反力など；  タイヤモデルの軸力などを評価値として取得する。
【００６８】
予測タイヤ性能としては、雪モデルについては、タイヤ性能予測部が、例えば、雪路面における旋回性能を予測する。泥モデルについては、タイヤ性能予測部が、例えば、泥路面における旋回性能を予測する。
【００６９】
雪路面及び泥路面のシミュレーションについて、その他の構成及び作用効果については、上記第１及び第２実施形態と同様であり、説明は省略する。
【００７０】
上記では本発明の実施形態を説明したが、これらの実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１０…シミュレーション装置、１４…タイヤモデル設定部、１６…路面モデル設定部、１８…オイラー要素モデル設定部、２２…動的解析部、５０…タイヤモデル、５２…路面モデル、５４…オイラー要素モデル、５６…流体物質、５８…要素が細分化された領域
【図１】
2020192893.tif 000003
【図２】
2020192893.tif 000004
【図３】
2020192893.tif 000005
【図４】
2020192893.tif 000006
【図５】
2020192893.tif 000007
【図６】
2020192893.tif 000008
【図７】
2020192893.tif 000009
【図８】
2020192893.tif 000010
【図９】
2020192893.tif 000011